(57)【要約】【課題】利用者に必要最低限の地図表示を行うとともに、地図読みを必要としないナビゲーションを行う。【解決手段】地図情報を保存する地図情報保存手段と、所定の間隔で現在位置を取得する現在位置取得手段と、方位を取得する方位取得手段と、表示手段とを有する情報表示端末にて実行される地図情報表示プログラムであって、目的地を設定する目的地設定機能と、現在位置取得手段にて所定の間隔にて取得された現在位置を基に、地図情報保存手段に保存された地図情報の中から現在位置の周辺地図を取得する周辺地図取得機能と、周辺地図を、方位取得手段にて取得された方位と地図上の方位とが一致するように回転させる地図回転機能と、第１の表示モードにて、目的地への進行方向を示す表象を前記周辺地図に重畳させて、前記表象を強調表示する強調表示機能と、を有する。【選択図】図８
2013167590.tif 000002
【特許請求の範囲】
【請求項１】
地図情報を保存する地図情報保存手段と、所定の間隔で現在位置を取得する現在位置取得手段と、方位を取得する方位取得手段と、表示手段とを有する情報表示端末にて実行される地図情報表示プログラムであって、
目的地を設定する目的地設定機能と、
前記現在位置取得手段にて所定の間隔にて取得された現在位置を基に、前記地図情報保存手段に保存された地図情報の中から現在位置の周辺地図を取得する周辺地図取得機能と、
前記周辺地図を、前記方位取得手段にて取得された方位と地図上の方位とが一致するように回転させる地図回転機能と、
第１の表示モードにて、
前記目的地への進行方向を示す表象を前記周辺地図に重畳させて、前記表象を強調表示する強調表示機能と、を有することを特徴とする地図情報表示プログラム。
【請求項２】
前記表象は、前記表示手段に、前記表示手段の中心から外側に向かって８方向にそれぞれ配置され、
前記８方向の表象の中から、前記現在位置取得手段にて取得された現在位置から前記目的地設定機能で設定した目的地への進行方位に近接した表象を選択して強調表示させることを特徴とする、請求項１に記載の地図情報表示プログラム。
【発明の詳細な説明】
【技術分野】
【０００１】
本発明は、地図情報表示プログラムに関する。
【背景技術】
【０００２】
従来、携帯端末装置のＧＰＳ機能や電子コンパス機能を利用して、目的地までの地図情報を用いてナビゲーション（以下、「ナビ」と省略する。）機能を提供する携帯端末装置用のアプリケーションプログラム（以下、「アプリ」と省略する。）が開発されている。
【０００３】
従来のナビアプリでは、利用者が目的地を設定して、ＧＰＳによる測位から得た現在位置の情報により最短距離又は最短時間で移動できるルートを計算して、地図上に移動ルートを表示し、ナビの開始にて、移動に伴い現在地を適宜測位しながらその地図をスクロールさせて利用者を案内するものであった。
【０００４】
ここで携帯端末装置は、その記憶容量が機種あるいは利用者のメモリ増設状況によって異なるために、地図情報は通信回線を介して接続されたサーバに保存しておき、携帯端末装置は、利用者の現在位置等の状況に応じてスクロール表示される地図情報を、適宜通信回線を介して取得していた。
【０００５】
また、上記従来のナビアプリでは、利用者がルートを理解しやすいように、方位を電子コンパスあるいはＧＰＳ情報等から計測して地図を回転させ、進行方向を地図の上側に常に表示させていた。また、現在位置から利用者が見えているはずの建物等の立体画像を表示させる場合もあった。
【０００６】
しかし、上記の様な表示を行っても、利用者は地図上の道の形状や建物の形状と実際に見える風景とを比較して、地図上での移動方向を常に注意しながら移動する必要があり、地図読みが不得意な利用者にとっては、地図に表示されたルートを移動しながら正しくトレースすることは困難な場合があった。
【０００７】
また、明るい戸外においては表示部に表示された地図が見にくいという問題もあった。
【０００８】
さらに、地図情報の頻繁な通信は、通信状況によっては地図表示を緩慢にさせて利用者にストレスを与えるとともに、通信量の増大により通信料も増大させていた。
【０００９】
上記の様な問題によって、従来のナビアプリは、街歩きのように風景を見ながら移動自体を楽しむ用途には必ずしも適切ではなかった。
【００１０】
そこで、例えば、特許文献１（特開２００５−３６５４号公報）に記載のナビゲーションプログラムには、地図を表示させずに、現在位置と目的地の経緯度から、コンパスによる方位のみを表示することが開示されている。
【００１１】
また、特許文献２（特開２００９―１１０４６２号公報）に記載の画像配信装置では、クライアント装置の現在地及び目的地から、進むべき方向を配信された画像情報上に矢印表示することが開示されている
【先行技術文献】
【特許文献】
【００１２】
【特許文献１】特開２００５−３６５４号公報
【特許文献２】特開２００９−１１０４６２号公報
【発明の概要】
【発明が解決しようとする課題】
【００１３】
しかし、上記特許文献１に記載のナビゲーションプログラムでは、方位のみを表示しているため、道路状況が全く分からず、移動中の利用者に不安を与える場合があった。
【００１４】
また、特許文献２に記載の画像配信装置では、方向表示がされるのは経路上の画像情報が存在する部分のみについてであり、利用者が進むべき大まかな方位を示すものではなかった。
【００１５】
地理不案内な場所における街歩きを行う場合、多くの利用者は、旅行情報誌等を購入して、先ずは行きたい場所を探し、次におおまかな移動経路について例えば情報誌に添付された地図を頼りに調べる。但し、その目的は正確な経路のトレースではなく、街歩き自体を楽しむものであり、利用者が現地で歩きたいと思う小径を自由に歩いたり、寄り道したりすることを前提とせず、地図を睨みながら歩くことを要求する従来のナビでは、このような用途には不適切であった。
【００１６】
そこで、本発明は、上記従来の地図情報表示プログラムにおける問題点に鑑みてなされたものであり、利用者に必要最低限の地図表示を行うとともに、地図読みを必要としないナビゲーションを行うことを目的とする。
【課題を解決するための手段】
【００１７】
上記課題に鑑み、本発明における地図情報表示プログラムは、地図情報を保存する地図情報保存手段と、所定の間隔で現在位置を取得する現在位置取得手段と、方位を取得する方位取得手段と、表示手段とを有する情報表示端末にて実行される地図情報表示プログラムであって、
目的地を設定する目的地設定機能と、
前記現在位置取得手段にて所定の間隔にて取得された現在位置を基に、前記地図情報保存手段に保存された地図情報の中から現在位置の周辺地図を取得する周辺地図取得機能と、
前記周辺地図を、前記方位取得手段にて取得された方位と地図上の方位とが一致するように回転させる地図回転機能と、
第１の表示モードにて、
前記目的地への進行方向を示す表象を前記周辺地図に重畳させて、前記表象を強調表示する強調表示機能と、を有することを特徴とする地図情報表示プログラム。
ことを特徴とする。
【発明の効果】
【００１８】
本発明の実施形態によれば、必要最低限の地図表示を行うとともに、地図読みを必要としないナビゲーションを行うことにより、利用者は、現在位置の簡単な確認と目的地までの大凡の進行方向が理解できる。
【図面の簡単な説明】
【００１９】
【図１】第１の表示モードの表示画面を示す一例
【図２】第２の表示モードの表示画面を示す一例
【図３】第２の表示モードにおける目的地の詳細情報の表示画面を示す一例
【図４】第２のナビ方法を説明する表示画面を示す一例
【図５】システム全体図を示す一例
【図６】ソフトウエア構成の全体図を示す一例
【図７】アプリケーションのレイヤ詳細を示した一例
【図８】地図情報表示プログラムの詳細を示した一例
【図９】地図情報取得機能の動作を説明したフローチャートの一例
【図１０】目的地設定機能及び周辺地図情報取得機能の動作を説明したフローチャートの一例
【図１１】回転機能及び強調表示機能の動作を説明したフローチャートの一例
【図１２】地図情報に含まれる付随情報の詳細を示した一例
【発明を実施するための形態】
【００２０】
以下、図面に基づいて本発明の実施の形態を説明する。
【００２１】
図１は、地図情報表示装置で実行される、地図情報表示プログラムにおける第１の表示モードの表示画面を示す一例である。
【００２２】
ここで、第１の表示モードとは、現在位置から設定した目的地までのナビを行う表示モードである。
【００２３】
図１において、表示画面の中心は常に利用者の現在位置を表しており、目的地は表示画面中心から点線で示す方向に設定されている。
【００２４】
表示される周辺地図は、電子コンパスにて利用者の正対方向が常に表示画面の上になるように回転されて表示される。電子コンパスは右上に表示されて、方位が測位されていることを示している。これにより利用者は、コンパスが示す北と表示画面上の地図と進行方向との対応を一の画面で視認できる。
【００２５】
第１の表示モードにおいては、画面の中心から８方向に広がる３本のアローヘッドからなる矢印形状の表象を表示している。
【００２６】
現在位置から目的地に向かう方向の中で、一番角度が近接している１の矢印を、着色によって強調表示する。
【００２７】
ここで表象の形状は、利用者が進行方向としてイメージできる形状が望ましく、図示した形状以外にも、例えば、矢印、三角形、指さしマーク等の形状が考えられる。
【００２８】
また、表象の強調方法は、着色による点灯表示、点滅表示、順次点灯表示等、車のウインカーの様に利用者を直感的に誘導できる強調方法が望ましい。
【００２９】
この表象の表示にて、街中で人に道を尋ねたときと同じ様に、「こっちの方向」という必要最低限の情報で、街歩き自体を楽しむことができるようになる。
【００３０】
さらに、点滅等をする表象は、目的地への方位に一番近い１つの表象のみでも良いし、例えば、目的地の方向と隣接する表象との角度が一定以内であれば、目的地の方向と表象とが作る角度に応じて色の濃さを替えて両方点滅させても良い。
【００３１】
これら、表象の形状や動作は利用者が設定できるようにしても良い。
【００３２】
第１の表示モードにおいては、地図は明るさを落として表示している。
【００３３】
この地図表示により、この地図に重畳させる上記表象の点滅を明るい戸外であっても目立たせることができ、また利用者に地図を意識させないこともできる。しかし、この地図は移動と共にスクロールし、また、体の向きを変える毎に回転することは視認できるので、利用者は確かに地図上にて案内されていることが実感でき、安心して移動中することができる。
【００３４】
また、第１の表示モードでは、目的地の付随情報を重畳して表示することもできる。地図情報には目的地として選択できる登録地点に関する付随情報を含んでおり、例えば図示したように目的地の写真データを表示することができる。また目的地以外の近隣の情報を表示することも可能である。さらに、表示された写真をタッチすることにより、例えば目的地である店舗の営業時間等他の情報を表示しても良いし、あるいはポップアップにて詳細情報を表示しても良い。
【００３５】
図２は、地図情報表示装置で実行される、地図情報表示プログラムにおける第２の表示モードの表示画面を示す一例である。
【００３６】
ここで、第２の表示モードとは、目的地を設定するまでの表示モードである。第１の表示モードで地図を暗く表示したのに比べて、第２の表示モードでは、通常の明るさで地図表示を行う。
【００３７】
図２において、表示画面には現在位置を示すマークが表示されている。第２の表示モードでは、利用者は表示画面に対してドラッグ、フリック、ピンチイン／ピンチアウト等の操作を行うことにより、表示された地図を移動又は拡大／縮小する、一般的な地図操作をすることができる。
【００３８】
また、第２の表示モードでは、表示画面下部に登録された情報が、現在位置からの距離とともに複数表示される。
【００３９】
利用者は、一つの目的地をタップして、「詳細を見る」及び「ここに行く」を選択可能となる。ここで、「ここに行く」をタップすると、上述した第１の表示モードにおける目的地までのナビを開始することができる。
【００４０】
図３は、第２の表示モードにおける目的地の詳細情報の表示画面を示す一例である。
【００４１】
第２の表示モードにおいて、目的地をタップして、されに「詳細を見る」をタップすると、図３に示すその目的地の詳細がポップアップ表示される。図３は、店舗の詳細情報を表示した一例である。ここで表示される詳細情報は、目的地に対する複数付随情報にて構成されている。
【００４２】
図３において、この詳細情報には、目的地の名称、写真、紹介文、住所等の付随情報が表示されている。図１で説明した第１の表示モードで表示される付随情報は、写真データであっても良いし、紹介文であっても良い。
【００４３】
これらの付随データは、地図サーバからダウンロードする地図情報に最初から含ませることも可能であり、一方、別途インターネットから取得することも可能である。例えば旧所名跡の紹介文などは、その更新の頻度が比較的少ないことから、地図情報に最初から含んでいても良いし、例えば駐車場の空状況等は適宜インターネットから更新しても良い。
【００４４】
第２の表示モードは、旅行情報誌に掲載された情報を電子化して利用者に提供している。利用者は旅行情報誌に掲載された情報を、現在位置を基準にしてスクラップするのと同じ効果を得ることができる。利用者は第２の表示モードで目的地の詳細情報を得ると同時に、簡単な操作で第１の表示モードに移行して、街歩きを楽しむことができる。
【００４５】
利用者は、右上の「閉じる」ボタンをタップすることによって、再度、図２に示す表示画面に戻り、ナビをスタートさせることができる。
【００４６】
図４は、第２のナビ方法を説明する表示画面を示す一例である。
【００４７】
利用者によっては、上述した第１の表示モードによるナビよりも、北を固定した紙の地図に近い表示を好む場合がある。その場合は設定により図４で示す、第２のナビ方法を選択可能である。
【００４８】
図４においては、利用者の現在位置を中心にして、地図は回転させず、目的地の方向に放射状の表示を回転させて表示している。このナビでは進行方向と表示画面上の地図の上方向が一致しないため、地図を見ながら歩くことを前提としており、第１の表示モードの様に地図は暗く表示しない。
【００４９】
次に、上述のような表示画面を提供するための、ハードウエア構成、ソフトウエア構成、及び動作フローについて以下に説明する。
【００５０】
図５は、本願発明における地図情報表示プログラムが搭載される地図情報表示装置を含む、システム全体図を示す一例である。
【００５１】
図５において、本システム１は、地図情報表示装置１０を含め、複数の携帯基地局２０（２０ａ、２０ｂ、２０ｃ等）、ネットワーク３０、地図サーバ４０、ＧＰＳ衛星５０を備える。
【００５２】
地図情報表示装置１０は、ＣＰＵ１００１、ＲＡＭ１００２、ＲＯＭ１００３を含む主制御手段１００、ＧＰＳ（Global Positioning System）衛星５０からの信号を補足して測位を行うＧＰＳ測位手段１０１、方位を測定する方位測定手段１０２、ユーザインターフェイスを提供する操作・表示手段１０３、音声の入出力を制御する音声入出力制御手段１０４、地上基地局との通信を制御する通信制御手段１０５、無線ＬＡＮ（Local Area Network）による通信を制御する無線ＬＡＮ制御手段１０６、通話を制御する通話制御手段１０７、外部メモリカードを制御する外部メモリ制御手段１０８、カメラ制御部１０９、非接触通信制御部１１０を備える。
【００５３】
主制御手段１００は、ＣＰＵ１００１、ＲＡＭ１００２、ＲＯＭ１００３を備え、本装置における上記各種手段や、後述するアプリの実行を含む装置全体を制御する。
【００５４】
ＧＰＳ測位手段１０１は、地球上を周回する複数のＧＰＳ衛星５０からの電波を補足して、それぞれの衛星からの電波の受信時刻の差から各衛星からの距離が計算でき、現在位置を測位することができる。
【００５５】
方位測定手段１０２は、電子コンパスなどを利用して方位を測定する。
【００５６】
操作・表示手段１０３は、例えばタッチパネルの様なユーザインターフェイスによって提供される。
【００５７】
音声入出力制御手段は１０４、図示しないマイク、イヤホン、スピーカーなどによる音声入出力を制御する。
【００５８】
通信制御手段１０５は複数の基地局２０との通信を制御する。基地局２０はそれぞれインターネットに接続されており、通信制御手段１０５は、インターネット３０を介したデータ通信制御も行う。この通信には、データ通信の他、基地局２０からの測位情報の通信が含まれる。基地局２０からの測位情報は、上記ＧＰＳ衛星からの電波とは別に、各基地局からの距離で測位される。
【００５９】
無線ＬＡＮ制御手段１０６は、無線ＬＡＮのアクセスポイント２１において、無線ＬＡＮ通信を制御する。各アクセスポイントには固有アドレスが割り当てられており、この固有アドレスを含む電波はそのアクセスポイントを通じてインターネットに接続ができない場合であっても補足が可能であるため、この固有アドレスの位置情報を利用して現在位置を特定することができる。地下街などで、ＧＰＳの電波が補足できない場合であっても利用可能である。
【００６０】
通話制御手段１０７は、地図情報表示装置１０を携帯電話として音声通話するときに、発呼や着呼の制御を行う。
【００６１】
外部メモリ制御部１０８は、地図情報表示装置１０に着脱可能なメモリカードを制御する。外部メモリ制御部１０８で制御するメモリは、フラッシュメモリなどの不揮発性のメモリカード１０８１によって実装され得る。但し、その利用方法は、主制御手段１００で使用されるＲＯＭと同じであり、内部メモリか外部メモリかの差である。したがって、例えば、地図情報の保存は、いずれもメモリにおいても可能である。
【００６２】
カメラ制御部１０９は、地図情報表示装置１０に装備されたカメラ１０９１の制御を行う。カメラにて撮影された静止画又は動画の画像処理を行い、例えば２次元バーコードの認識処理を行う。
【００６３】
非接触通信制御部１１０は、非接触通信を行うＩＣチップの制御を行う。非接触型ＩＣチップを利用した決済機能として利用可能な他、例えば、地図情報や上記２次元バーコードの代わりに情報入力機能としても使用可能である。
【００６４】
現在位置の測位は、ＧＰＳ衛星５０からの信号をＧＰＳ測位手段１０１によって補足して現在位置の測位を行う単独測位に加えて、通信制御手段１０５による基地局２０との測位情報の通信や無線ＬＡＮ制御手段１０６によって現在位置を測位するアシスト型ＧＰＳを利用しても良い。
【００６５】
測位方式は、後述する地図情報表示プログラムにて選択するようにしても良い。例えば、基地局や無線ＬＡＮの電波が届く範囲では、アシスト型ＧＰＳを利用し、基地局や無線ＬＡＮの電波が届かない場所においては単独測位を利用することができる。
【００６６】
基地局２０は複数存在しており（２０ａ、２０ｂ、２０ｃなど）、それぞれが通信制御手段１０５を通じて地図情報表示装置１０と通信を行う。基地局はインターネット３０を介して地図サーバ４０に接続されている。
【００６７】
地図サーバ４０は、地図データベース４００を備えている。地図データベース４００には、複数の地図情報が保存されており、地図情報表示装置１０からの取得要求に応じて様々な地図データを提供可能としている。なお、地図サーバ４０には、図示しない認証手段や課金手段を備えていても良い。地図サーバ４０は、認証手段や課金手段で許可した地図情報のみ、あるいは許可した地図情報表示装置１０にのみ、情報を提供することもできる。
【００６８】
図６は、地図情報表示プログラムが搭載される地図情報表示装置の、ソフトウエア構成の全体図を示す一例である。
【００６９】
図６において、地図情報表示装置のソフトウエア６は、各レイヤに階層化され、カーネル６１、ライブラリ６２、フレームワーク６３、アプリケーション６４の各レイヤを備える。
【００７０】
カーネル６１は、メモリ管理やシステム全体監視などを行う、オペレーティングシステム（ＯＳ）の中核部分である。
【００７１】
ライブラリ６２は、地図情報表示装置１０の特定の機能を、上位レイヤのアプリケーション６４から利用可能としたプログラムの部品であり、アプリケーション６４が実行されるときにアプリケーション６４の一部として利用される。
【００７２】
フレームワーク６３は、アプリを開発するための雛形部分であり、アプリで実行される表示操作部の動作やライブラリ６２を使用した機能など、汎用的な機能をまとめてＡＰＩ（Application Program Interface）として提供するものである。このフレームワークによって、アプリの開発効率を上げることができる。
【００７３】
アプリケーション６４は、フレームワーク６３を利用して開発された各種アプリであり、利用者が適宜インストールして利用する。
【００７４】
図７は、アプリケーション６４のレイヤ詳細を示した一例である。
【００７５】
図７において、本願発明の地図情報表示プログラム７は、このレイヤに属しており、このレイヤにはこれ以外に、例えば、アプリＡ、アプリＢ、アプリＣの様なアプリを複数搭載可能である。
【００７６】
アプリのインストール、アンインストール、アクティベーションなどは、アプリ単位で可能であり、本願発明における地図情報表示プログラムも、例えば図示しないアプリサーバーからのダウンロードによりインストールが可能となる。
【００７７】
以上説明したソフトウエア構成は地図情報表示装置の機種によりその構成が異なる可能性があるが、アプリを搭載可能な構成が要求される。
【００７８】
図８は、地図情報表示プログラム７の詳細を示した一例である。
【００７９】
図８において、地図情報表示プログラム７は、地図情報取得機能７１、目的地設定機能７２、周辺地図情報取得機能７３、回転機能７４、強調表示機能７５を備えている。
【００８０】
地図情報取得機能７１の動作は、図９にて、図５と併せて説明する。
【００８１】
図９は、地図情報取得機能７１の動作を説明したフローチャートの一例である。
【００８２】
図９において、利用者は、カメラ１０９１にて、購入した旅行情報誌に掲載された２次元バーコードを読み取る（Ｓ１００）。
【００８３】
例えば、旅行雑誌の名称が「鎌倉古都散歩」であった場合、この２次元バーコードにより取得すべき地図情報が特定される。２次元バーコードは、旅行雑誌と１対１に対応させるために、規格化されたユニークな図書番号に対応付けることができる。その場合は同じ雑誌名でも発行年毎に取得するデータを変えることができ、雑誌の購入と連動したサービスの提供が可能となる。
【００８４】
次に、通信制御手段１０５によって、インターネット３０を介して地図サーバ４０にアクセスする。上記２次元バーコードは、地図サーバ４０に保存されている複数の地図データの中から、該当する「鎌倉古都散歩」の地図情報を特定し、ダウンロードして（Ｓ１０１）、メモリカード１０８１に保存し（Ｓ１０２）、保存した地図の一覧を選択可能に表示する（Ｓ１０３）。
【００８５】
次に、図８の目的地設定機能７２及び周辺地図情報取得機能７３の動作を図１０にて、図５と併せて説明する。
【００８６】
図１０は、目的地設定機能７２及び周辺地図情報取得機能７３の動作を説明したフローチャートの一例である。
【００８７】
図１０において、アプリの起動にてメニューからダウンロードした複数の地図情報を一覧する（Ｓ２００）。例えば、先ほどダウンロードした「鎌倉古都散歩」は、既にダウンロードされている「歩く京都」「東京地下街散歩」「屋久島トレッキング」などと一緒に表示画面に一覧表示される。
【００８８】
利用者は、ここで「鎌倉古都散歩」を選択して地図表示すると（Ｓ２０１）、周辺地図情報取得機能７３は、ＧＰＳ測位手段１０１、通信制制御手段１０５、又は無線ＬＡＮ制御手段から測定された現在位置を主制御手段１００から通知され（Ｓ２０２）、現在位置が選択された地図情報における表示範囲内であるか否かをチェックする（Ｓ２０３）。
【００８９】
ここで、表示範囲内であった場合は、現在位置の周辺地図を地図情報が保管されたメモリカード１０８１から取得して、現在位置を中心とした地図を表示画面に表示する（Ｓ２０４）。表示後は、図１１で説明するＡに進む。
【００９０】
一方、表示範囲外であった場合には、現在位置が取得できなかった旨の通知を行い（Ｓ２０５）、設定された初期位置の地図を表示する（Ｓ２０６）。この初期位置は例えば鉄道の駅やバス停であってもよい。
【００９１】
なお、Ｓ２０４のステップにて表示される表示画面は、図２で説明した、第２の表示モードである。
【００９２】
次に、図８の回転機能７４及び強調表示機能７５の動作を図１１にて、図５と併せて説明する。
【００９３】
図１１は、回転機能７４及び強調表示機能７５の動作を説明したフローチャートの一例である。
【００９４】
図１１において、図１０のＡで表示されたフローチャートから続く。Ａにおいては、現在位置を中心にした表示か、現在位置の表示のない初期位置での表示となっているが、これ以降の動作は同じである。
【００９５】
図２の「ここに行く」がタップされて選択されたか否かを判断し（Ｓ３００）、選択された場合には、図１で示した第１の表示モードに移行して、地図の明るさを暗くして、「前、後、左、右、左前、右前、左後、右後」の８方向の矢印を地図に重畳して表示画面に表示する（Ｓ３０１）。
【００９６】
次に、ＧＰＳ測位手段１０１等の測定結果から現在位置を測定し、方位測定手段１０２による方位測定結果を取得して（Ｓ３０２）、所得した方位に合わせて地図を回転させる（Ｓ３０３）。このときに、図１で示すように、表示画面右上のコンパスを正しい方位に合わせるとともに、目的地方向に点線の補助線を表示する。図１の場合は、利用者が地図表示装置１０を体の正面に略水平に持っていると仮定すると、利用者は略東方向を向いており、目的地の進行方向は略西北西ということになり、西北西に一番近い「左」方向の矢印がウインカーのように点滅して利用者の進むべき方向を示す（Ｓ３０４）。
【００９７】
方位などを計測するインターバル時間が経過したか否かを判断して（Ｓ３０５）、所定のインターバルにてＳ２０７〜Ｓ２０９の処理を行う。
【００９８】
第１の表示モードにおけるナビは、図示しない目的地への到着、あるいは途中での中止指示により終了する。例えば、図１の「メニュー」が押されたときに図２に戻っても良いし、図示しない地図選択画面に戻っても良い。
【００９９】
現在位置の測位は、前述の通り、ＧＰＳ測位手段１０１を使用したＧＰＳ衛星５０による測位、通信制御手段１０５を使用した基地局２０による測位、又は無線ＬＡＮ制御手段１０６を使用したアクセスポイントによる測位、又はそれらを組み合わせたアシスト型測位が可能であるが、地図の選択により、測位手段を変えることができる。例えば、選択した地図が「東京地下街散歩」であった場合は、ＧＰＳ衛星５０からの電波は補足できないが、基地局２０、あるいは無線ＬＡＮのアクセスポイントを利用した測位は可能であり、また、多くの場所が所謂「携帯圏外」である「屋久島トレッキング」を選択した場合は、ＧＰＳ衛星５０による測位のみ可能であるため、地図を選択した時点で測位方法を切り替えても良い。
【０１００】
なお、現在位置の測位や方位測定は地図情報表示装置１０に内蔵された電子コンパス等の測定手段を利用しているために電池の消耗が大きくなる。このため、例えば測定間隔を広く設定することにより電池の消耗を押さえることができる。
【０１０１】
Ｓ２０５で、「ここに行く」が選択されない場合は、第２の表示モードにて、図２、及び図３で示したように、目的地の詳細を見るか否かによって（Ｓ３１０）、詳細情報を表示し（Ｓ３１１）、それが閉じられた場合は（Ｓ３１２）、再び図２の表示に戻る。
【０１０２】
図１では、「左」方向の矢印だけを点滅させたが、例えば、「左前」方向の矢印を「左」方向の矢印より薄く点滅させて、進行方向は「左」方向よりやや前方向であるように表示しても良い。その場合、目的地が「左」方向と「左前」方向の矢印の中間程度の位置に方位する場合には同じ程度の明るさで点滅させて、８方向で補えない中間方向を表現しても良い。
【０１０３】
図１２は、地図情報に含まれる付随情報の詳細を示した一例である。
【０１０４】
図１２において、「鎌倉古都散歩」の地図情報には、地図データ上に登録してある付随情報が含まれ、例えば、「登録地点名」、「経緯度」、「住所」、「電話番号」、「案内文」、「現在情報」、「写真データ」等を有する。この付随情報は利用者が適宜追加しても良い。例えば、訪問済みであることを示す情報、コメント、写真の追加などを追加できる。また、登録地点自体を利用者が新規に登録することもできる。
【０１０５】
また、この付随情報を、自分専用の情報として、ネットワークを通じて図示しないサーバに保存しておくこともできる。
【０１０６】
さらに、このアプリを他のＳＮＳ（ソーシャル・ネットワーキング・サービス）と連携しても良い。例えば、ユーザレビューや料理の写真などを共有する。
【０１０７】
図２で示した目的地は、現在位置からの距離、方向、カテゴリー等の選択により選択表示をしても良い。
【０１０８】
図１においては、ナビ中は選択された目的地の写真を表示しているが、写真以外の例えば紹介文を表示してもよい。また、目的地以外の、例えばナビの経路上、あるいは目的地周辺の情報を表示しても良い。また、紹介文を音声入出力制御手段を通じて音声として出力しても良い。
【０１０９】
以上、本発明を実施するための形態について詳述したが、本発明は斯かる特定の実施形態に限定されるものではなく、特許請求の範囲に記載された本発明の要旨の範囲内において、種々の変形・変更が可能である。
付記３
取得された前記周辺地図の明るさ、彩度、または解像度の少なくとも一つの値を下げる変換を行うことを特徴とする、請求項１又は２に記載の地図情報表示プログラム。
付記４
前記第１の表示モードと切り替えて表示される第２の表示モードをさらに備え、
前記地図情報には、登録された登録地点の付随情報を有し、
前記第２の表示モードにて、
前記周辺地図を、手動スクロール、及び拡大／縮小操作可能とし、
前記現在位置の周辺における前記登録地点の前記付随情報を表示すると共に、
前記目的地選択手段は、利用者が前記登録地点を選択することにより目的地を選択させて、
前記目的地が選択されたときに前記第１の表示モードに切り替わることを特徴とする、請求項１乃至３に記載の地図情報表示プログラム。
付記５
前記地図情報表示プログラムは、
前記情報表示端末の画像取得手段を利用して識別情報を読み込む識別情報読み込み機能と、
前記情報表示端末の通信手段を利用してネットワークに接続された地図情報保管サーバと通信を行う通信機能と、
前記識別情報読み込み機能で読み込んだ識別情報を基に、前記地図情報保管サーバに保管された複数の地図の中から、前記識別情報に対応する地図情報を選択して、前記地図情報保存手段に保存する、地図情報取得機能と、をさらに有することを特徴とする、請求項１乃至４に記載の地図情報表示プログラム。
付記６
地図情報を保存する地図情報保存手段と、所定の間隔で現在位置を取得する現在位置取得手段と、方位を取得する方位取得手段と、表示手段とを有する情報表示端末にて実行される地図情報表示方法であって、
目的地を設定する目的地設定ステップと、
前記現在位置取得手段にて所定の間隔にて取得された現在位置を基に、前記地図情報保存手段に保存された地図情報の中から現在位置の周辺地図を取得する周辺地図取得ステップと、
前記周辺地図を、前記方位取得手段にて取得された方位と地図上の方位とが一致するように回転させる地図回転ステップと、
第１の表示モードにて、
前記目的地への進行方向を示す表象を前記周辺地図に重畳させて、前記表象を強調表示する強調表示ステップと、を有することを特徴とする地図情報表示方法。
付記７
地図情報を保存する地図情報保存手段と、所定の間隔で現在位置を取得する現在位置取得手段と、方位を取得する方位取得手段と、表示手段とを有し、
目的地を設定する目的地設定機能と、
前記現在位置取得手段にて所定の間隔にて取得された現在位置を基に、前記地図情報保存手段に保存された地図情報の中から現在位置の周辺地図を取得する周辺地図取得機能と、
前記周辺地図を、前記方位取得手段にて取得された方位と地図上の方位とが一致するように回転させる地図回転機能と、
第１の表示モードにて、
前記目的地への進行方向を示す表象を前記周辺地図に重畳させて、前記表象を強調表示する強調表示機能と、を有することを特徴とする地図情報表示装置。
【符号の説明】
【０１１０】
１  システム
６  ソフトウエア
７  地図情報表示プログラム
１０  地図情報表示装置
２０  基地局
３０  インターネット
４０  地図サーバ
５０  ＧＰＳ衛星
６１  カーネル
６２  ライブラリ
６３  フレームワーク
６４  アプリケーション
７１  地図情報取得機能
７２  目的地設定機能
７３  周辺地図情報取得機能
７４  回転機能
７５  強調表示機能
１００  主制御手段
１０１  ＧＰＳ測位手段
１０２  方位測定手段
１０３  操作・表示手段
１０４  音声入出力制御手段
１０５  通信制御手段
１０６  無線ＬＡＮ制御手段
１０７  通話制御手段
１０８  外部メモリ制御手段
１０９  カメラ制御手段
１１０  非接触通信制御手段
４００  地図データベース
１０８１  メモリカード
１０９１  カメラ
【図１】
2013167590.tif 000003
【図２】
2013167590.tif 000004
【図３】
2013167590.tif 000005
【図４】
2013167590.tif 000006
【図５】
2013167590.tif 000007
【図６】
2013167590.tif 000008
【図７】
2013167590.tif 000009
【図８】
2013167590.tif 000010
【図９】
2013167590.tif 000011
【図１０】
2013167590.tif 000012
【図１１】
2013167590.tif 000013
【図１２】
2013167590.tif 000014